(57)【要約】【課題】  特別な制御を行うことなく、所定の立ち位置であることを容易に確認する可能とする。【解決手段】  ＬＥＤ５ａ〜５ｄは、レンズ２の周囲に上下左右に１つずつ設けられている。ＬＥＤ５ａ〜５ｄの近傍には、レンズ２側に遮蔽壁６ａ〜６ｄが設けられている。遮蔽壁６ａ〜６ｄは、レンズ２側に光が照射されないよう、レンズ２側と反対側を開放した半円形状を有し、ＬＥＤ側の面は、反射率の高い色や、素材とする。セルフタイマ撮影時には、ＬＥＤ５ａ〜５ｄを発光させる。被写体であるユーザからは、自身の立ち位置（視認方向の変化）に応じてＬＥＤ５ａ〜５ｄの発光の見え方が変化するので、デジタルカメラに対して正しい位置にいるかを容易に確認できる。【選択図】  図１
2009198575.tif 000002
【特許請求の範囲】
【請求項１】
レンズを含む光学系を有し、被写体を撮影する撮影手段と、
前記光学系の光軸に対応する所定の範囲に光を出射する指向性を有する発光手段と、
前記撮影手段による撮影に先立って前記発光手段を発光させる発光制御手段と
を具備することを特徴とする撮影装置。
【請求項２】
前記発光手段は、指向性の方向が各々異なる複数の発光部で構成されていることを特徴とする請求項１記載の撮影装置。
【請求項３】
前記複数の発光部は、各々、発光を行う発光部品と、該発光部品からの出射光の一部を遮蔽して該発光部品からの出射光に指向性を持たせるように、該発光部品の側部に設けられた遮蔽手段とで構成されていることを特徴とする請求項２記載の撮影装置。
【請求項４】
前記複数の発光部は、前記レンズの周囲に配置されており、各発光部の指向性が、前記レンズに対する各発光部の配置位置に応じた方向となるように設けられていることを特徴とする請求項２記載の撮影装置。
【請求項５】
前記複数の発光部は、当該装置の本体に埋設されることで、出射光に所定の指向性を持たせた、発光を行う発光部品から構成されていることを特徴とする請求項２記載の撮影装置。
【請求項６】
前記複数の発光部は、そのレンズ形状により、該発光部品からの出射光に所定の指向性を持たせた、発光を行う発光部品から構成されていることを特徴とする請求項２記載の撮影装置。
【請求項７】
前記遮蔽手段は、前記各発光部品からの出射光が前記レンズ側に漏れるのを防止すべく、前記各発光部品と前記レンズとの間に設けられたことを特徴とする請求項３記載の撮影装置。
【請求項８】
前記複数の発光部は、前記レンズの周囲に等間隔に配置されていることを特徴とする請求項３に記載の撮影装置。
【請求項９】
前記複数の発光部は、前記レンズの周囲の上下左右に設けられていることを特徴とする請求項３記載の撮影装置。
【請求項１０】
前記複数の発光部は、前記レンズの周囲の３カ所に設けられていることを特徴とする請求項３記載の撮影装置。
【請求項１１】
前記発光制御手段は、更に、撮影時に前記発光手段を発光させることを特徴とする請求項１記載の撮影装置。
【請求項１２】
前記発光制御手段は、更に、オートフォーカス動作中に前記発光手段を発光させることを特徴とする請求項１記載の撮影装置。
【請求項１３】
前記発光制御手段は、更に、セルフタイマー撮影時の撮影タイミングに連動させて前記発光手段の発光させることを特徴とする請求項１記載の撮影装置。
【発明の詳細な説明】
【技術分野】
【０００１】
本発明は、銀塩カメラ、デジタルカメラなどに係り、特に、セルフタイマ撮影等の自動撮影時に所望する構図で撮影するための撮影装置に関する。
【背景技術】
【０００２】
従来より、銀塩カメラ、デジタルカメラ（以下、カメラという）では、シャッタボタンを押下してから１０秒後とか２０秒後に撮影したり、３枚連続でセルフタイマ撮影（トリプルセルフタイマ）する機能を有するものがある。これらカメラでは、被写体の顔や手足などを認識し、被写体の特定動作（ポーズ）を認識した場合に、自動的にシャッタを切る技術が知られている（例えば特許文献１参照）。該従来技術では、被写体の特定動作を認識した時点で自動的にシャッタを切るので、撮影者は余裕を持って撮影位置に移動することができる。
【０００３】
ところで、カメラ撮影においては、撮影者自身が被写体となるような場合（自分撮り）、背景に風景を入れて、被写体（＝撮影者）が撮影フレームの左寄り（または中央、あるいは右寄り）に立って撮影したい場合がある。しかしながら、上述した特許文献１の従来技術では、シャッタボタンを押下した後、撮影者が前後左右に試行錯誤で移動するなどして構図に合致する立ち位置に「感」で合わせなければならない。このように、従来技術では、被写体が構図に合致する立ち位置にいるか否かを知ることができなかったため、頭が切れたり、足が切れたりと、所定の構図で撮影することが難しいという問題があった。
【０００４】
そこで、従来技術として、セルフタイマによる自己の撮影時において、自分がレンズの正面（撮影フレーム内）にいる否か（どの程度ずれているか）を、カメラ前面に設けられた複数のＬＥＤの点灯状態によって確認可能にした技術が提案されている（例えば、特許文献１参照）。
【０００５】
【特許文献１】特開平２００５−１６７７８９号公報
【発明の開示】
【発明が解決しようとする課題】
【０００６】
しかしながら、従来技術においては、被写体の位置に応じてＬＥＤの点灯状態を制御する複雑な処理が必要であるという問題があった。
【０００７】
そこで本発明は、複雑な制御を行うことなく、所定の立ち位置であることを容易に確認することができる撮影装置を提供することを目的とする。
【課題を解決するための手段】
【０００８】
上記目的達成のため、請求項１記載の発明による撮影装置は、レンズを含む光学系を有し、被写体を撮影する撮影手段と、前記光学系の光軸に対応する所定の範囲に光を出射する指向性を有する発光手段と、前記撮影手段による撮影に先立って前記発光手段を発光させる発光制御手段とを具備することを特徴とする。
【０００９】
また、好ましい態様として、例えば請求項２記載のように、請求項１記載の撮影装置において、前記発光手段は、指向性の方向が各々異なる複数の発光部で構成されていてもよい。
【００１０】
また、好ましい態様として、例えば請求項３記載のように、請求項２に記載の撮影装置において、前記複数の発光部は、各々、発光を行う発光部品と、該発光部品からの出射光の一部を遮蔽して該発光部品からの出射光に指向性を持たせるように、該発光部品の側部に設けられた遮蔽手段とで構成されてもよい。
【００１１】
また、好ましい態様として、例えば請求項４記載のように、請求項２記載の撮影装置において、前記複数の発光部は、前記レンズの周囲に配置されており、各発光部の指向性が、前記レンズに対する各発光部の配置位置に応じた方向となるように設けられていてもよい。
【００１２】
また、好ましい態様として、例えば請求項５記載のように、請求項３記載の撮影装置において、前記複数の発光部は、当該装置の本体に埋設されることで、出射光に所定の指向性を持たせた、発光を行う発光部品から構成されてもよい。
【００１３】
また、好ましい態様として、例えば請求項６記載のように、請求項２記載の撮影装置において、前記複数の発光部は、そのレンズ形状により、該発光部品からの出射光に所定の指向性を持たせた、発光を行う発光部品から構成されてもよい。
【００１４】
また、好ましい態様として、例えば請求項７記載のように、請求項３記載の撮影装置において、前記遮蔽手段は、前記各発光部品からの出射光が前記レンズ側に漏れるのを防止すべく、前記各発光部品と前記レンズとの間に設けられてもよい。
【００１５】
また、好ましい態様として、例えば請求項８記載のように、請求項３記載の撮影装置において、前記複数の発光部は、前記レンズの周囲に等間隔に配置されてもよい。
【００１６】
また、好ましい態様として、例えば請求項９記載のように、請求項３記載の撮影装置において、前記複数の発光部は、前記レンズの周囲の上下左右に設けられてもよい。
【００１７】
また、好ましい態様として、例えば請求項１０記載のように、請求項３記載の撮影装置において、前記複数の発光部は、前記レンズの周囲の３カ所に設けられてもよい。
【００１８】
また、好ましい態様として、例えば請求項１１記載のように、請求項１記載の撮影装置において、前記発光制御手段は、更に、撮影時に前記発光手段を発光させるようにしてもよい。
【００１９】
また、好ましい態様として、例えば請求項１２記載のように、請求項１記載の撮影装置において、前記発光制御手段は、更に、オートフォーカス動作中に前記発光手段を発光させるようにしてもよい。
【００２０】
また、好ましい態様として、例えば請求項１３記載のように、請求項１記載の撮影装置において、前記発光制御手段は、更に、セルフタイマー撮影時の撮影タイミングに連動させて前記発光手段の発光させるようにしてもよい。
【発明の効果】
【００２１】
この発明によれば、複雑な制御を行うことなく、所定の立ち位置であることを容易に確認することができるという利点が得られる。
【発明を実施するための最良の形態】
【００２２】
以下、本発明の実施の形態を、図面を参照して説明する。
【００２３】
Ａ．実施形態の構成
図１は、本発明の実施形態によるデジタルカメラの外観を示す正面図である。図において、デジタルカメラ１の前面には、レンズ２、フラッシュ３、ファインダ４、ＬＥＤ５ａ〜５ｄ、及び遮蔽壁６ａ〜６ｄが配置されている。また、デジタルカメラ１の上面には、シャッタボタン７が配設されている。レンズ２は、複数のレンズ群からなり、外部光を集光し、内部に設けられたＣＣＤ上に結像する。フラッシュ３は、露光不足等に自動発光する。ファインダ４は、本体背面から撮影者が被写体の位置や構図を確認するために用いられる。
【００２４】
ＬＥＤ５ａ〜５ｄは、レンズ２の周囲に上下左右に１つずつ設けられており、オートフォーカス時、あるいはセルフタイマ撮影時に点灯するようになっている。オートフォーカス時には、補助光用として、セルフタイマによる撮影時には、被写体の立ち位置確認用に兼用される。該ＬＥＤ５ａ〜５ｄの近傍には、レンズ２側に遮蔽壁６ａ〜６ｄが設けられている。シャッタボタン７は、撮影を指示する。
【００２５】
図２は、本実施形態によるＬＥＤ５ａ〜５ｄの構造を示す上面図、及び側面図である。ＬＥＤ５ａ〜５ｄは、そのレンズ形状（ＬＥＤの出射口に設けられたレンズの形状）に応じた緩やかな指向性を有する発光部品であり、デジタルカメラ１の正面方向に向けて取り付けられている。遮蔽壁６ａ〜６ｄは、ＬＥＤ５ａ〜５ｄの光がカメラ正面方向に届くのを妨げず、かつ、ＬＥＤ５ａ〜５ｄの光がレンズ方向に漏れるのを防止し、さらに、被写体の立ち位置（視認方向の変化）に応じてＬＥＤ５ａ〜５ｄの発光を遮蔽する状態が変化するように、その位置、形状等が決められている。詳細には、遮蔽壁６ａ〜６ｄは、レンズ２側に光が照射されないよう、レンズ２側と反対側を開放した半円形状を有し、ＬＥＤ側の面は、反射率の高い色や、素材とする。
【００２６】
つまり、遮蔽壁６ａ〜６ｄは、ＬＥＤ５ａ〜５ｄの各々に共通する緩やかで同一方向に向けられた指向性を、各々のＬＥＤに固有の方向で、より制限された範囲の指向性に変えるために設けられているものであり、ＬＥＤ５ａと遮蔽壁６ａにより他のＬＥＤよりも上向きの指向性を有する発光部を構成し、ＬＥＤ５ｂと遮蔽壁６ｂにより他のＬＥＤよりも右向き（レンズ２の反対側）の指向性を有する発光部を構成し、ＬＥＤ５ｃと遮蔽壁６ｃにより他のＬＥＤよりも下向きの指向性を有する発光部を構成し、ＬＥＤ５ｄと遮蔽壁６ｄにより他のＬＥＤよりも左向き（レンズ２の反対側）の指向性を有する発光部を構成する。なお、デジタルカメラ１に対するＬＥＤ５ａ〜５ｄの各々の取り付け方向を、各々の発光部の指向性に応じた方向に向けるようにしてもよい。
【００２７】
このように、ＬＥＤ５ａ〜５ｄの出射光に指向性を持たせることで、被写体の立ち位置（視認方向の変化）に応じてＬＥＤ５ａ〜５ｄの発光の見え方が変化することになるので、被写体となるユーザは、ＬＥＤ５ａ〜５ｄの発光の見え方で撮影画角に対してどの辺りに位置するのかを確認することが可能となる。このとき、従来技術のように、ＬＥＤ５ａ〜５ｄに対して特別な明滅制御を行う必要がなく、単に発光させればよい。なお、立ち位置の確認方法（ＬＥＤの見え方）については後述する。また、ＬＥＤ５ａ〜５ｄは、より指向性、遮光性を高めるために、カメラ筐体内に埋設されてもよい。
【００２８】
撮影時には、ＣＣＤ上に結像した画像がそのまま図示しないカメラ背面に設けられている表示部（液晶表示部）にスルー表示される。撮影者は、カメラを所望の方向（背景）へ向け、被写体の立ち位置と風景（背景）との位置関係を考慮してズームなどを調整して、シャッタボタンを押下する。その後、撮影者（＝被写体）は、立ち位置に移動する。本実施形態では、上述した撮影時に、デジタルカメラの前面に設けられたＬＥＤ５ａ〜５ｄを点灯しているので、撮影者（＝被写体）は、立ち位置からのＬＥＤ５ａ〜５ｄの見え方の違いから自身の立ち位置（画角に対する位置）を確認する。例えば、ＬＥＤ５ａ〜５ｄが均等に見えるような位置に立てば、画角のほぼ中央に位置することになる。なお、立ち位置とＬＥＤ５ａ〜５ｄの見え方との関係については後述する。
【００２９】
次に、図３は、本実施形態によるデジタルカメラの構成を示すブロック図である。画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタン７が操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行なう。ＬＰＦ１３は、水晶ローパスフィルタであり、モアレの発生を防ぐために搭載されている。
【００３０】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行なう。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００３１】
次に、制御部（ＣＰＵ）２０は、後述するプログラムメモリ格納されるプログラムに基づいてデジタルカメラ（撮像装置）の全体を制御する。特に、本実施形態では、オートフォーカシング時、またはセルフタイマ撮影時において、後述するＬＥＤドライバ３５を介して、ＬＥＤ５ａ〜５ｄを点灯する。また、制御部２０は、セルフタイマ時間（以下、一定時間という）がタイムアップした時点で、画像取得部１０およびアナログ信号処理部１５による撮影を実行するようになっている。
【００３２】
タイマ２１は、セルフタイマ撮影時におけるセルフタイマ時間（例えば、５〜１０秒などの一定時間）を計時するセルフタイマからなる。プレビューエンジン２２は、録画モード（記録モード、撮影モードともいう）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行なう。
【００３３】
Ｄ／Ａコンバータ２３は、プレビューエンジン２２により間引き処理されたデジタルデータを変換し、後段のドライバ２４に出力する。ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。
【００３４】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタン７を含め、記録／再生モードの切り換えキー、十字キー、メニューキー等からなる。デジタル信号処理部２８は、アナログ信号処理部１５を介して入力されたデジタルデータ（非圧縮のＲＡＷイメージデータ）に対して、ホワイトバランス処理、色処理、階調処理、輸郭強調を行なう。画像圧縮／伸張処理部２９は、デジタル信号処理部２８を介して入力されたデジタルデータ（非圧縮のＲＡＷイメージデータ）をＪＰＥＧ方式に圧縮符号化したり、再生モードにおいては、ＪＰＥＧ形式のファイルを伸張する。
【００３５】
プログラムメモリ３０は、制御部２０にロードされる各種プログラムや、ベストショット機能におけるＥＶ値、色補正情報等の各種をテーブル単位で格納する。また、ＤＣＦ規格に準拠されているファイルに埋め込むべき各種情報も記憶している。画像メモリ３１は、各種ファイル形式に変換されたデジタルデータを格納する。カードＩ／Ｆ３２は、外部記録媒体３３と撮像装置本体との間のデータ交換を制御する。外部記録媒体３３は、コンパクトフラッシュ（登録商標）、メモリースティック、ＳＤカード等からなる。なお、本実施形態では、ベストショット機能としてロードされる各種制御情報を独自ファイル形式で格納している場合もある。
【００３６】
外部接続用Ｉ／Ｆ３４は、ＵＳＢコネクター用スロットなどからなり、パーソナルコンピュータなどと接続され、撮影した画像データの転送などに用いられる。ＬＥＤドライバ３５は、制御部２０による制御に従って、オートフォーカシング時、またはセルフタイマ撮影時において、本体正面に配設されているＬＥＤ５ａ〜５ｄの点灯、消灯を制御する。
【００３７】
Ｂ．実施形態の動作
次に、上述した実施形態の動作について説明する。
図４は、デジタルカメラ１のセルフタイマ撮影時における動作を説明するためのフローチャートである。また、図５（ａ）、（ｂ）〜図７（ａ）、（ｂ）は、デジタルカメラのセルフタイマ撮影時において、被写体の立ち位置（視認方向の変化）に応じてＬＥＤ５ａ〜５ｄの発光の見え方の例を示す模式図である。
【００３８】
まず、デジタルカメラ１では、セルフタイマ撮影モードであるか否かを判断する（ステップＳ１０）。そして、セルフタイマ撮影モードでなければ、通常の撮影動作へ進む（ステップＳ１２）。一方、セルフタイマ撮影モードであれば、シャッタボタン７が半押しされたか否かを判断する（ステップＳ１４）。ここで、撮影者は、デジタルカメラの向きや撮影条件（ズームなど）をセットし、シャッタボタン７を半押下する。シャッタボタン７が半押しされると、オートフォーカシング用の補助光としてＬＥＤ５ａ〜５ｄを発光し（ステップＳ１６）、オートフォーカシングを行う（ステップＳ１８）。
【００３９】
次に、シャッタボタン７が全押しされたか否かを判断する（ステップＳ１４）。ここで、撮影者は、オートフォーカスされたことを確認すると、シャッタボタン７を全押下する。シャッタボタン７が全押しされるとタイマ２１によるセルフタイマ時間（例えば、５秒〜１０秒などの一定時間）の計時をスタートする（ステップＳ２２）。次に、タイマ２１によるセルフタイマ時間がタイムアップ（一定時間経過）したか否かを判断する（ステップＳ２４）。そして、セルフタイマ時間がタイムアップ（一定時間経過）していない場合には、セルフタイマによる計時と、ＬＥＤ５ａ〜５ｄの発光を持続する。
【００４０】
この間、被写体（撮影者自身を含む場合あり）は、被写体自身の立ち位置（視認方向の変化）に応じてＬＥＤ５ａ〜５ｄの発光の見え方が変化するので、ＬＥＤ５ａ〜５ｄの発光の見え方で画角に対してどの辺りに位置するのかを確認する。
【００４１】
例えば、図５（ａ）に示すように、被写体の位置がデジタルカメラに向かって左側に大きくずれた位置Ｐ１に立った場合には、被写体からは、図５（ｂ）に示すように、ＬＥＤ５ｂの発光が大きく（明るく）見え、ＬＥＤ５ｄの発光が小さく（暗く）ほとんど視認できない。また、図５（ａ）に示すように、被写体の位置がデジタルカメラに向かって左側に小さくずれた位置Ｐ２に立った場合には、被写体からは、図５（ｃ）に示すように、ＬＥＤ５ｂの発光が大きく（明るく）、ＬＥＤ５ｄの発光がやや小さく（暗く）見える。したがって、被写体は、ＬＥＤ５ｂとＬＥＤ５ｄの発光の大きさ（明るさ）の違いから自分がデジタルカメラに対して左側にどの程度ずれて立っているかが容易に分かる。
【００４２】
また、例えば、図６（ａ）に示すように、被写体の位置がデジタルカメラに向かって右側に大きくずれた位置Ｐ３に立った場合には、被写体からは、図６（ｂ）に示すように、ＬＥＤ５ｂの発光が小さく（暗く）ほとんど視認できず、ＬＥＤ５ｄの発光が大きく（明るく）見える。また、図６（ａ）に示すように、被写体の位置がデジタルカメラに向かって右側に小さくずれた位置Ｐ４に立った場合には、被写体からは、図６（ｃ）に示すように、ＬＥＤ５ｂの発光がやや小さく（暗く）、ＬＥＤ５ｄの発光がの発光が大きく（明るく）見える。したがって、被写体は、ＬＥＤ５ｂとＬＥＤ５ｄの発光の大きさ（明るさ）の違いから自分がデジタルカメラに対して右側にどの程度ずれて立っているかが容易に分かる。
【００４３】
また、図７（ａ）に示すように、被写体の位置がデジタルカメラに向かって中央の位置Ｐ５に立った場合には、被写体からは、図７（ｂ）に示すように、全てのＬＥＤ５ａ〜５ｄの発光が同じ大きさ（明るさ）に見える。したがって、被写体は、ＬＥＤ５ａ〜５ｄが均等に発光していることから自分がデジタルカメラに対してほぼ中央に立っていることが容易に分かる。
【００４４】
そして、セルフタイマがタイムアップ（一定時間経過）すると、ＬＥＤ５ａ〜５ｄを全て消灯し（ステップＳ２６）、シャッタ１２を開放して撮影を行う（ステップＳ２８）。
【００４５】
上述した実施形態によれば、ＬＥＤ５ａ〜５ｄをレンズ２の周囲に配置し、遮蔽壁を各々のＬＥＤ５ａ〜５ｄのレンズ側に設け、視認方向の変化に応じて、各ＬＥＤ５ａ〜５ｄが遮蔽壁によって遮蔽される状態を変化させるようにしたので、ＬＥＤ５ａ〜５ｄの特別な明滅制御を行うことなく、所望する立ち位置であることを確認させることができる。更に、ＬＥＤ５ａ〜５ｄをレンズ２の周囲に均等に配置しているので、補助光としての照射ムラをなくすことができる。
【００４６】
Ｃ．変形例
次に、本発明の変形例について説明する。
図８は、本変形例によるデジタルカメラのレンズとＬＥＤ及び遮蔽壁との配置関係を示す模式図である。上述した実施形態では、ＬＥＤ５ａ〜５ｄをレンズ２を中心に上下左右に配置したが、本変形例では、レンズ２の周囲に３つのＬＥＤ５１ａ、５１ｂ、５１ｃを等間隔に配置し、それぞれのＬＥＤ５１ａ、５１ｂ、５１ｃのレンズ側に遮蔽壁６１ａ、６１ｂ、６１ｃを設けている。デジタルカメラに向かって上側に位置した場合には、図８（ｂ）に示すように、ＬＥＤ５１ａの発光が大きく（明るく）見え、ＬＥＤ５ｂ、５ｃの発光が小さく（暗く）見えることになる。また、デジタルカメラに向かって右側に位置した場合には、図８（ｃ）に示すように、ＬＥＤ５１ａ、５１ｂの発光が小さく（暗く）見え、ＬＥＤ５１ｃの発光が大きく（明るく）見えることになる。
【００４７】
上述した変形例によれば、より少ない数のＬＥＤで、特別な明滅制御を行うことなく、所望する立ち位置であることを確認させることができる。
【００４８】
なお、上述した実施形態、または変形例においては、３つ以上のＬＥＤ（発光部）の見え方の違いによって立ち位置が上下左右のどちらの方向にずれているかを確認することができるが、左右どちらにずれているかを確認するだけでよいのであれば、２つのＬＥＤとしてもよい。また、センターから所定以上ずれているか否かを確認するだけであれば、１つのＬＥＤとしてもよい。
【００４９】
また、上述した実施形態、または変形例においては、ＬＥＤ（発光部）を複数設けることで、指向性を有するＬＥＤを補助光として兼用した場合でも、照射ムラが少なくなるようにしたが、補助光に指向性を持たせるようにしてもよく、この場合には、上記確認目的と合わせてＬＥＤの個数を設定するようにしてもよい。
【００５０】
また、上述した実施形態、または変形例において、セルフタイマがタイムアップに近づくと、ＬＥＤ５ａ〜５ｄ、あるいはＬＥＤ５１ａ〜５１ｃをタイムアップまでの残り時間に応じた周期で点滅させるようにしてもよい。
【００５１】
また、上述した実施形態または変形例では、セルフタイマ撮影においてタイムアップした場合に自動的に撮影を実行するようにしたが、ＬＥＤ５ａ〜５ｄ、あるいはＬＥＤ５１ａ〜５１ｃの発光の見え方で立ち位置を確認した被写体自身がリモコン等で撮影を指示して撮影するようにしてもよい。
【００５２】
また、上述した実施形態または変形例では、ＬＥＤ５１ａ〜５１ｃを、オートフォーカス時の補助光用、被写体の立ち位置確認用、セルフタイマのタイムアップタイミング確認用に兼用することで、これらの機能を実現するために必要な部品コストの増加を低減できるようにしたが、ＬＥＤ５１ａ〜５１ｃを、オートフォーカス時の補助光だけでなく、動画撮影時の補助光（近距離用）としても利用するようにしてもよい。また、通常の静止画撮影時の補助光としても利用できるような高輝度のＬＥＤを用いることで、キセノン管を用いたフラッシュ３を無くすようにしてもよい。このようにすれば、より部品コストを低減させることができ、部品点数が減ることで、カメラ前面の部品配置の自由度を増すことが可能となる。
【図面の簡単な説明】
【００５３】
【図１】本発明の実施形態によるデジタルカメラの外観を示す正面図である。
【図２】本実施形態によるＬＥＤ５ａ〜５ｄの構造を示す上面図、及び側面図である。
【図３】本実施形態によるデジタルカメラの構成を示すブロック図である。
【図４】本実施形態によるデジタルカメラのセルフタイマ撮影時における動作を説明するためのフローチャートである。
【図５】本実施形態によるデジタルカメラのセルフタイマ撮影時において、被写体の立ち位置が左側にずれていた場合のＬＥＤ５ａ〜５ｄの発光の見え方の例を示す模式図である。
【図６】本実施形態によるデジタルカメラのセルフタイマ撮影時において、被写体の立ち位置が右側にずれていた場合のＬＥＤ５ａ〜５ｄの発光の見え方の例を示す模式図である。
【図７】本実施形態によるデジタルカメラのセルフタイマ撮影時において、被写体の立ち位置が中央であった場合のＬＥＤ５ａ〜５ｄの発光の見え方の例を示す模式図である。
【図８】本実施形態の変形例によるデジタルカメラのレンズとＬＥＤ及び遮蔽壁との配置関係を示す模式図である。
【符号の説明】
【００５４】
１  デジタルカメラ
２  レンズ
３  フラッシュ
４  ファインダ
５ａ〜５ｄ  ＬＥＤ
６ａ〜６ｄ  遮蔽壁
７  シャッタボタン
１０  画像取得部
１１  レンズ
１２  シャッタ
１４  ドライバ
１５  アナログ信号処理部
１６  撮像センサ
１７  サンプリング／信号増幅処理部
１８  Ａ／Ｄコンバータ
２０  制御部
２１  タイマ
２２  プレビューエンジン
２３  Ｄ／Ａコンバータ
２４  ドライバ
２５  表示部
２６  イメージバッファ
２７  キー操作部
２８  デジタル信号処理部
２９  画像圧縮／伸張処理部
３０  プログラムメモリ
３１  画像メモリ
３２  カードＩ／Ｆ
３３  外部記録媒体
３４  外部接続用Ｉ／Ｆ
３５  ＬＥＤドライバ
５１ａ〜５１ｃ  ＬＥＤ
６１ａ〜６１ｃ  遮蔽壁
【図１】
2009198575.tif 000003
【図２】
2009198575.tif 000004
【図３】
2009198575.tif 000005
【図４】
2009198575.tif 000006
【図５】
2009198575.tif 000007
【図６】
2009198575.tif 000008
【図７】
2009198575.tif 000009
【図８】
2009198575.tif 000010